(57)【要約】【課題】  特に足の裏の形状に対応する支持部により、靴を履いた時のバランスの悪さを改善すると共に、健康にも配慮したインソールとその使用方法を提供する。【解決手段】  本体と、該本体の上に形成される第１表面と、該第１表面の両端内側に位置すると共に、水平状または傾斜状を呈する第２表面と、該第１表面の内側に形成される支持部とを有することを特徴とする。【選択図】  図１
2010057614.tif 000002
【特許請求の範囲】
【請求項１】
本体と、該本体の上に形成される第１表面と、該第１表面の両端内側に位置すると共に、水平状または傾斜状を呈する第２表面と、該第１表面の内側に形成される支持部とを有することを特徴とするインソール。
【請求項２】
前記支持部が第１表面や第２表面より高い箇所に位置することを特徴とする請求項１に記載のインソール。
【請求項３】
前記支持部は、第１表面と同じ高さに位置すると共に、前記本体より硬度が高いものであることを特徴とする請求項１に記載のインソール。
【請求項４】
前記本体が楕円形を呈することを特徴とする請求項２または３に記載のインソール。
【請求項５】
前記第１表面と第２表面が夫々半楕円形を呈することを特徴とする請求項４に記載のインソール。
【請求項６】
前記本体が略V字形を呈することを特徴とする請求項１に記載のインソール。
【請求項７】
前記本体は少なくとも１つの平面を有し、該平面に２つの第１表面、１つの第２表面及びそれぞれ各該第１表面の内側に形成される支持部が形成されると共に、該２つの第１表面のうちの１つ第１表面は、該第２表面上に形成されることを特徴とする請求項６に記載のインソール。
【請求項８】
前記第２表面上における第１表面上に突起状の支持部が形成されることを特徴とする請求項７に記載のインソール。
【請求項９】
前記支持部が第１表面と第２表面より高い箇所に位置することを特徴とする請求項７に記載のインソール。
【請求項１０】
前記支持部は、前記本体より硬度が高いものであり、前記第１表面の内部に埋め込まれると共に、該第１表面と同じ高さに位置することを特徴とする請求項７に記載のインソール。
【請求項１１】
前記支持部が本体の上面から突出することを特徴とする請求項７に記載のインソール。
【請求項１２】
前記支持部が本体の底面から下方へ突出することを特徴とする請求項７に記載のインソール。
【請求項１３】
請求項１に記載のインソールを提供するステップと、
使用者の踵または足の裏の前半部分と対応する箇所に位置させるように、前記インソールを靴の内部に敷くステップとを有することを特徴とするインソールの使用方法。
【請求項１４】
前記本体が他のインソールに設置されることを特徴とする請求項１３に記載の使用方法。
【発明の詳細な説明】
【技術分野】
【０００１】
本発明は、特に靴の中における所定の箇所に敷くことにより、靴を履いた時のバランスの悪さを改善するインソールとその使用方法に関するものである。
【背景技術】
【０００２】
経済発展により消費者の物に対するニーズが高まったことから、靴の着用感をより向上させるために、最近では、例えば柔軟性の高いエアーパッドからなる靴底、または足の裏の形状と密着可能な靴底を有する靴が生産されているが、それらの技術は皆周知のものである。
【発明の開示】
【発明が解決しようとする課題】
【０００３】
人間の２本の足の長さは微妙に差があるので、夫々の足には、異なる比率の荷重がかかっている。このように常に荷重がかかっている２本足はそれぞれ、前記従来の靴における柔軟性の高い靴底を異なる力で押していることから、一方の足が他方の足より低く位置するので、身体のバランスが崩れるだけでなく、あらゆる関節にも悪い影響を与えることになる。一方、足の裏の形状とフィットする靴底を有する靴を着用する場合は、例えば土踏まずなどの働きを妨げると共に、足を変形させてしまう恐れがある。
【０００４】
前記健康より着用感を優先した従来の靴の問題を解決するためには、専門医の指示による矯正パッドを用いて歩行中のバランスを改善すると共に、変形した関節や足などの回復を図ることが必要であるが、前記治療は必ずしも成功するとは限らなく、その上相当な費用もかかるので、一般には、病状が深刻にならない限り、前記のような治療を受けることはしないのが現状である。
【０００５】
そこで、出願されたのが本発明であって、靴を履いた時のバランスの悪さを改善すると共に、健康にも配慮したインソールとその使用方法を提供することを目的としている。
【課題を解決するための手段】
【０００６】
本願の請求項１の発明は、本体と、該本体の上に形成される第１表面と、該第１表面の両端内側に位置すると共に、水平状または傾斜状を呈する第２表面と、該第１表面の内側に形成される支持部とを有することを特徴とするインソール、を提供する。
本願の請求項２の発明は、前記支持部が第１表面や第２表面より高い箇所に位置することを特徴とする請求項１に記載のインソール、を提供する。
本願の請求項３の発明は、前記支持部は、第１表面と同じ高さに位置すると共に、前記本体より硬度が高いものであることを特徴とする請求項１に記載のインソール、を提供する。
本願の請求項４の発明は、前記本体が楕円形を呈することを特徴とする請求項２または３に記載のインソール、を提供する。
本願の請求項５の発明は、前記第１表面と第２表面が夫々半楕円形を呈することを特徴とする請求項４に記載のインソール、を提供する。
本願の請求項６の発明は、前記本体が略V字形を呈することを特徴とする請求項１に記載のインソール、を提供する。
本願の請求項７の発明は、前記本体は少なくとも１つの平面を有し、該平面に２つの第１表面、１つの第２表面及びそれぞれ各該第１表面の内側に形成される支持部が形成されると共に、該２つの第１表面のうちの１つ第１表面は、該第２表面上に形成されることを特徴とする請求項６に記載のインソール、を提供する。
本願の請求項８の発明は、前記第２表面上における第１表面上に突起状の支持部が形成されることを特徴とする請求項７に記載のインソール、を提供する。
本願の請求項９の発明は、前記支持部が第１表面と第２表面より高い箇所に位置することを特徴とする請求項７に記載のインソール、を提供する。
本願の請求項１０の発明は、前記支持部は、前記本体より硬度が高いものであり、前記第１表面の内部に埋め込まれると共に、該第１表面と同じ高さに位置することを特徴とする請求項７に記載のインソール、を提供する。
本願の請求項１１の発明は、前記支持部が本体の上面から突出することを特徴とする請求項７に記載のインソール、を提供する。
本願の請求項１２の発明は、前記支持部が本体の底面から下方へ突出することを特徴とする請求項７に記載のインソール、を提供する。
本願の請求項１３の発明は、請求項１に記載のインソールを提供するステップと、
使用者の踵または足の裏の前半部分と対応する箇所に位置させるように、前記インソールを靴の内部に敷くステップとを有することを特徴とするインソールの使用方法、を提供する。
本願の請求項１４の発明は、前記本体が他のインソールに設置されることを特徴とする請求項１３に記載の使用方法。
【発明の効果】
【０００７】
本発明のインソールとその使用方法は、従来の靴における問題を、新理論及び新設計に基づいて、低価格かつ簡単に解決するものであり、この構造及び使用方法によれば、着用感も向上させることができると共に、使用者の健康も維持、又は改善できるので、極めて実用性が高い。
【発明を実施するための最良の形態】
【０００８】
以下、添付図面を参照して本発明の好適な実施の形態を詳細に説明する。
【０００９】
図１は本発明に係るインソールの第１実施例の平面図であり、図２は本発明に係るインソールの第１実施例の側面図であり、図３は本発明に係るインソールの第２実施例の側面図であり、図４は本発明に係るインソールの第３実施例の平面図であり、図５は本発明の使用状態を示す平面図であり、図６は本発明の使用状態を示す側面断面図であり、図７は本発明に係るインソールの第４実施例の側面断面図であり、図８は本発明をスリッパに使用した状態を示す斜視図である。
【００１０】
図１及び図２に示すように、本発明の第１実施例は、本体（１０）と、該本体（１０）の上に形成される第１表面（１１）と、水平状を呈する第２表面（１２）と、該第１表面（１１）に形成されると共に、本体（１０）の上面から突出する支持部（１１０）とを有し、該支持部（１１０）は、第１表面（１１）や第２表面（１２）と同じ高さまで突出し、使用時には荷重の受力点となる。また、本実施例においては、前記本体（１０）が楕円形を呈すると共に、前記第１表面（１１）と第２表面（１２）が夫々半楕円形を呈するものであり、前記支持部（１１０）は硬質材料からなるものである。
【００１１】
図３に示すように、本発明の第２実施例においては、第２表面（１２）が第１表面（１１）の両端内側に位置すると共に、傾斜状を呈するものである。また、支持部（１１０）は、足の裏を支持するために、該第１表面（１１）より上側に形成され、即ち、本体（１０）から上方へ丘状に突出するものである。
【００１２】
図４に示すように、本発明の第３実施例は、略V字形を呈すると共に、少なくとも１つの平面（符号なし）を有する本体（１０ａ）と、該平面に形成される２つの第１表面（１１ａ,１１ｂ）と、傾斜状を呈する１つの第２表面（１２ａ）と、硬質材料からなる支持部（１１０ｂ）とを有し、該２つの第１表面（１１ａ,１１ｂ）のうちの１つ第１表面（１１ｂ）は、該第２表面（１２ａ）に設けられる。また、前記第１表面（１１ｂ）の支持部（１１０ｂ）は、該第１表面（１１ｂ）と第２表面（１２ａ）より高い箇所に位置する。
【００１３】
また、図５及び図６に示すように、本発明のインソールを使用して本体（１０）（１０ａ）が使用者の足に密着した時、前記第１表面（１１）の支持部（１１０）は、使用者の踵の中心に位置して踵からの荷重の受力点となる。また、前記本体（１０ａ）は、荷重を受けるように、足の裏の前半部分と対応する位置に設置されると共に、支持部（１１０ａ）は、使用者の中足骨（Metatarsals）の裏側と対応し。更に、他の支持部（１１０ｂ）は、使用者の第１中足骨と第２中足骨におけるアーチの近傍に突起することにより、支点の役割を持つと共に、湧泉穴のマーサージ効果も有する。
【００１４】
実施例４  
図７に示すように、本発明の第４実施例は、本体（１０ｃ,１０ｄ）と、該本体（１０ｃ,１０ｄ）上に形成される第１表面（１１ｃ,１１ｄ）と、傾斜状を呈する第２表面（１２ｃ,１２ｄ）と、該第１表面（１１ｃ,１１ｄ）に夫々形成される支持部（１１０ｃ,１１０ｄ）とを有し、該支持部（１１０ｃ,１１０ｄ）は、第１表面（１１ｃ,１１ｄ）の底面から下方へ突出するものである。
【００１５】
また、本発明に係る、例えば歩行時または直立時のバランスを矯正するためのインソールの使用方法は、本発明に係るインソールを提供するステップと、使用者の踵または足の裏の前半部分と対応する箇所に位置させるように、前記インソールを靴の内部に敷くステップとを有するものであり、該靴は、革靴、スニーカー、及びサンダルなどを含む。更に、本発明のインソールの使用方法では、インソールの本体（１０）（１０ａ）を他のインソールに設置してから、該他のインソールと共に靴底に敷いても構わない。尚、本発明に係る使用方法では、図８に示すように、スリッパに使用してもよく、その場合、使用者の踵及び足の裏の前半部分と対応する箇所にそれぞれ設置してもよいが、これらは皆、本発明の好適な実施の形態を示したものにすぎず、本発明の技術的範囲は、前記実施例そのものに何ら限定されるものではない。
【産業上の利用可能性】
【００１６】
本発明は上記の構成を有するので、使用者がインソールを着用する時は、足の裏の形状と対応する支持部が使用者の足を支持するための支点となり、主に３ヵ所において支点としての働きをすることから、バランスよく使用者の体重を支えることができるだけではなく、足関節内反捻挫と外反捻挫などを防ぐことができる。
【図面の簡単な説明】
【００１７】
【図１】本発明に係るインソールの第１実施例の平面図である。
【図２】本発明に係るインソールの第１実施例の側面図である。
【図３】本発明に係るインソールの第２実施例の側面図である。
【図４】本発明に係るインソールの第３実施例の平面図である。
【図５】本発明の使用状態を示す平面図である。
【図６】本発明の使用状態を示す側面断面図である。
【図７】本発明に係るインソールの第４実施例の側面断面図である。
【図８】本発明をスリッパに使用した状態を示す斜視図である。
【符号の説明】
【００１８】
１０          本体
１０ａ        本体
１０ｃ        本体
１０ｄ        本体
１１          第１表面
１１ａ        第１表面
１１ｂ        第１表面
１１ｃ        第１表面
１１ｄ        第１表面
１１０        支持部
１１０ａ      支持部
１１０ｂ      支持部
１１０ｃ      支持部
１１０ｄ      支持部
１２          第２表面
１２ａ        第２表面
１２ｂ        第２表面
１２ｃ        第２表面
１２ｄ        第２表面
【図１】
2010057614.tif 000003
【図２】
2010057614.tif 000004
【図３】
2010057614.tif 000005
【図４】
2010057614.tif 000006
【図５】
2010057614.tif 000007
【図６】
2010057614.tif 000008
【図７】
2010057614.tif 000009
【図８】
2010057614.tif 000010